(57)【特許請求の範囲】
【請求項１】
軟質または半硬質の熱可塑性樹脂、および少量の酸化チタンが含有されている微粒子の木粉を主材とする組成物から構成された棒状のカバー部材と、前記カバー部材の内部に前記カバー部材の長手方向に沿って設けられた金属補強材とで形成され、
前記カバー部材は、断面コ字形の２つの被覆材から形成され、
この２つの被覆材は、それぞれ前記カバー部材の外装を形成する外装部と、前記金属補強材に直接接するように前記外装部に複数突設されて前記カバー部材の剛性を高める補強部とを備え、
前記２つの被覆材のうちの一方の被覆材は、その長手方向に沿った端部に形成された凸部が取付部材によって前記金属補強材に固定されて前記金属補強材に取り付けられ、
他方の被覆材は、その長手方向に沿った端部に形成された凹部が前記取付部材を被覆するように前記凸部に係合されて前記金属補強材に取り付けられ、
前記凹部は、前記一方の被覆材の外装部に当接して一方の被覆材との隙間を塞ぐ突起部を備えていることを特徴とする屋外用軸状部品。
【請求項２】
請求項１に記載の屋外用軸状部品において、前記金属補強材は、断面中空状に形成されていることを特徴とする屋外用軸状部品。
【発明の詳細な説明】
【０００１】
【発明の属する技術分野】
本発明は、屋外用軸状部品に関するものである。
【０００２】
【背景技術】
従来より、建物の外周には、例えば、窓からの人の侵入等を防ぐための防犯を目的として窓の外側に取り付ける面格子や、蔦、藤等の灌木を支持するために格子状または並列状に設けられるパーゴラ等が取り付けられている。
これら面格子やパーゴラ等は、複数の屋外用軸状部品を組み合わせて構成されている。
屋外用軸状部品は、通常、鉄や鋼等の金属で形成され、建物の外観を損なわないように金属の表面に塗装等を施していた。
【０００３】
【発明が解決しようとする課題】
しかしながら、従来の屋外用軸状部品は、特に塗装等の仕上げ作業に手間がかかるので、屋外用軸状部品の組立作業が煩雑になるという問題があった。
また、金属製の屋外用軸状部品を用いると、特に海が近い沿岸地域では、海側から吹き付ける風によって屋外用軸状部品が錆びてしまうことがあり、耐候性の面からも問題があった。
さらに、木製の屋外用軸状部品を用いる場合もあるが、金属製に比べて強度が弱く、使用できる場所が限定されてしまうという問題もあった。
【０００４】
本発明の目的は、組立作業を容易に行うことができ、耐候性を向上でき、十分な強度を得ることができる屋外用軸状部品を提供することにある。
【０００５】
【課題を解決するための手段】
本発明の屋外用軸状部品６１は、図面を参照して説明すると、軟質または半硬質の熱可塑性樹脂、および少量の酸化チタンが含有されている微粒子の木粉を主材とする組成物から構成された棒状のカバー部材６２と、カバー部材６２の内部にカバー部材６２の長手方向に沿って設けられた金属補強材６３とで形成され、カバー部材は、断面コ字形の２つの被覆材６２Ａ，６２Ｂから形成され、この２つの被覆材は、それぞれカバー部材の外装を形成する外装部８１と、金属補強材に直接接するように外装部に複数突設されてカバー部材の剛性を高める補強部８２とを備え、２つの被覆材のうちの一方の被覆材６２Ａは、その長手方向に沿った端部に形成された凸部８３が取付部材１００によって金属補強材に固定されて金属補強材に取り付けられ、他方の被覆材６２Ｂは、その長手方向に沿った端部に形成された凹部８４が取付部材を被覆するように凸部に係合されて金属補強材に取り付けられ、凹部は、一方の被覆材６２Ａの外装部に当接して一方の被覆材との隙間を塞ぐ突起部８５を備えていることを特徴とする。
屋外用軸状部品とは、例えば、窓からの人の侵入等を防ぐための防犯を目的として窓の外側に取り付ける面格子や、蔦、藤等の灌木を支持するために格子状や並列状に設けられるパーゴラ等を構成するものである。取付部材とは、例えば、ビスやねじなどをいう。
【０００６】
軟質または半硬質の熱可塑性樹脂とは、塩化ビニル樹脂、ポリプロピレン樹脂、スチロール樹脂、アクリロニトリル−ブタジエン−スチレン共重合体樹脂（ＡＢＳ樹脂）、またはこれらの発泡体材料等をいい、特に、押し出し成形性に優れた塩化ビニル樹脂、あるいは射出成形性に優れたポリプロピレン樹脂が好適である。
少量の酸化チタンとは、後述する木粉微粒子担持体を形成する程度の量をいう。
【０００７】
このような本発明によれば、カバー部材が軟質または半硬質の熱可塑性樹脂および微粒子の木粉を主材とする組成物から構成されているので、カバー部材の仕上げ面に手や身体が触れた際、木の風合いによる暖かな感触を得るように仕上げられている。このため、塗装等の仕上げ作業を行う必要がないので、その分屋外用軸状部品の組立作業が容易になる。
その上、カバー部材の内部に例えば鉄や鋼で形成された金属補強材を設けることによって、十分な強度が得られるようになる。
さらに、金属補強材はカバー部材の内部に設けられているので、従来に比べて海が近い沿岸地域で用いても殆ど錆びることがなく、屋外用軸状部品の耐候性が向上されるようになる。
カバー部材を２つの被覆材で形成しているので、金属補強材に断面コ字形の被覆材を金属補強材の対向する面にそれぞれ被せることができ、屋外用軸状部品の組立作業をより容易にできる。
一方の被覆材の長手方向に端部に他方の被覆材の長手方向の端部を係合する際に、それぞれ凸部と凹部を形成して係合すれば、カバー部材を簡単に形成することができるので、屋外用軸状部品の組立作業がより一層容易に行える。
その上、一方の被覆材の凸部に固定されている取付部材を他方の被覆材の凹部によって被覆するので、屋外用軸状部品の外観が容易に向上されるようになる。
木粉に少量の酸化チタンを含有させるので、カバー部材の仕上げ面が天然の木目模様により酷似したものとなる。
また、酸化チタンの含有により、カバー部材の仕上げ面は繊毛が少なく、粒状となるため、その仕上げ面に木粉による毛羽立ちを生じたりすることがなく、カバー部材の仕上げ面が滑らかに仕上げられて使い心地が一層向上する。
【０００９】
さらに、金属補強材６３を断面中空状に形成することが望ましい。
金属補強材を断面中空状に形成すれば、必要な剛性を確保しつつ、屋外用軸状部品の軽量化が行えるようになるので、組立作業がより一層容易になる。
【００１４】
【発明の実施の形態】
以下に本発明の実施の形態を図面に基づいて説明する。
図１は、本発明の一実施形態に係るユニット式建物１を示す斜視図である。
このユニット式建物１の本体は、基礎２上に載せられた１階用建物ユニット３と、１階用建物ユニット３上に載せられた２階用建物ユニット４とを含んで構成され、複数の２階用建物ユニット４のうちの角部分の建物ユニット４の側面にバルコニユニット５が張り出し状態に取り付けられている。
そして、バルコニユニット５の上方には、その上縁部５Ａから２階用建物ユニット４の側面にかけて、パーゴラ６が形成されている。
パーゴラ６は、略Ｌ字形の屋外用軸状部品６１が複数並列に設けられて形成されており、各屋外用軸状部品６１には、図示しない蔦や藤等の灌木が巻き付けられる。
【００１５】
図２にも示すように、屋外用軸状部品６１は、断面略四角形状であり、かつ、棒状のカバー部材６２と、このカバー部材６２の内部にカバー部材６２の長手方向に沿って設けられた金属補強材６３とで形成されている。
さらに、金属補強材６３は、鉄や鋼等で断面中空状に形成されている。
【００１６】
カバー部材６２は、断面コ字形の２つの被覆材６２Ａ、６２Ｂから形成されている。
各被覆材６２Ａ、６２Ｂは、それぞれ押し出し成形で形成された木目模様を有する樹脂成形品であり、重合度１０００程度で有色顔料が含まれた塩化ビニル樹脂等の押し出し成形性に優れた熱可塑性樹脂と微粒子の木粉とを主材にした組成物から構成され、この組成物中には、少量の酸化チタンが含有されている。
【００１７】
２つの被覆材６２Ａ、６２Ｂは、それぞれカバー部材６２の外装を形成する外装部８１と、カバー部材６２の剛性を高めるための補強部８２とから形成されるとともに、この２つの被覆材６２Ａ、６２Ｂのうちの一方の被覆材６２Ａの長手方向に沿った端部には、外面に向かって突出され、かつ、後述するビスを保持する凸部８３が形成され、他方の被覆材６２Ｂの長手方向に沿った端部には、前記凸部８３に係合可能な凹部８４が形成されている。
【００１８】
そして、一方の被覆材６２Ａは、その端部に形成された凸部８３に取付部材であるビス１００等が打ち込まれて、金属補強材６３に固定されている。
、さらに、他方の被覆材６２Ｂの凹部８４が一方の被覆材６２Ａの凸部８３に係合されている。この際、各係合部分には、複数の溝が形成されており、各溝が噛み合うことによって外れにくくなっている。
その上、被覆材６２Ａ、６２Ｂの端部同士が係合し、ビス１００が凹部８４で覆われることによって、ビス１００が外に露出されないようになっている。
また、他方の被覆材６２Ｂの凹部８４には、一方の被覆材６２Ａの外装部８１に当接し、カバー部材６２の内部への雨水等の浸入を防止する突起部８５が形成されている。
【００１９】
次に、屋外用軸状部品６１の製造および組立方法について説明する。
まず、屋外用軸状部品６１の製造方法としては、木材の加工工場等から生じる端材や鋸屑を集め、これらの端材等をボールミルによって細磨し、木粉微粒子（直径約６０μｍ）を形成する。そして、木粉微粒子に少量の酸化チタンを添加し、混練することによって、木粉微粒子の周りに酸化チタンの微粒子がついた木粉微粒子担持体を形成する。
この後、木粉微粒子担持体と、塩化ビニル樹脂等の熱可塑性樹脂の微粒粉とを混練して混合ペレットを形成し、この混合ペレットを１５０度〜２００度で加熱溶解して押し出し成形することにより、各カバー部材６２の断面コ字形の被覆材６２Ａ、６２Ｂを一体で成形する。
【００２０】
そして、金属補強材６３に２つの被覆材６２Ａ、６２Ｂのうちの一方の被覆材６２Ａを被せるとともに、その長手方向に沿った端部に形成された凸部８３を金属補強材６３にビス１００で固定する。
固定した後、他方の被覆材６２Ｂを一方の被覆材６２Ａと対向する面に被せるとともに、他方の被覆材６２Ｂの凹部８４を一方の被覆材６２Ａの凸部８３に係合する。
このようにして形成した屋外用軸状部品６１を複数用いて、図１のようにパーゴラ６を形成する。
なお、カバー部材６２および金属補強材６３は、工場等で金属補強材６３にカバー部材６２を被せて屋外用軸状部品６１を形成し、それを現場に輸送して建物に取り付けてもよいし、別々に現場に輸送して、建物に金属補強材６３を取り付けてからカバー部材６２を被せてもよく、実施に当たって適宜選択すればよい。
【００２１】
このような本実施形態によれば、次のような効果が得られる。
（１）カバー部材６２が塩化ビニル樹脂等の熱可塑性樹脂と、微粒子の木粉とを主材とする組成物から構成されているので、カバー部材６２の仕上げ面に手や身体が触れた際、木の風合いによる暖かな感触を得ることができ、このため、塗装等の仕上げ作業を行う必要がなく、その分屋外用軸状部品６１の組立作業を容易にできる。
【００２２】
（２）その上、カバー部材６２の内部に金属補強材６３を設けることによって、十分な強度を得ることができる。
さらに、金属補強材６３はカバー部材６２の内部に設けられているので、従来に比べて海が近い沿岸地域で用いても殆ど錆びることがなく、屋外用軸状部品６１の耐候性を向上できる。
【００２３】
（３）また、木粉微粒子に少量の酸化チタンが含有されているので、その表面は繊毛が少なく粒状となり、カバー部材６２の仕上げ面に木粉による毛羽立ちを生じたりすることがなく、カバー部材６２の仕上げ面を滑らかに仕上げることができ、使い心地を一層向上できる。
【００２４】
（４）そして、重合度が高く（例えば１０００程度）、有色顔料が含まれている塩化ビニル樹脂を用いることによって、押し出し成形時に塩化ビニル樹脂が十分融合せず、有色顔料による着色にむらが生じ、このむらによって、押し出し方向に筋状の濃淡が形成される。これにより、カバー部材６２の表面を天然の木目に極めて近い木目模様にできる。この際、白色顔料である酸化チタンが有色顔料の表面にくるため、下の有色顔料がぼけて見えて色柄が不均一となるので、より本物の木目に近い模様にできる。
【００２５】
（５）また、酸化チタンの含有により、木粉微粒子が酸化チタンに覆われた担持体が形成されるので、カバー部材６２の製造工程において、木粉微粒子が繊維状ではなく粒状となり、繊維状の木粉微粒子を配合分散した際、その繊維状部分が絡み合って団子状、綿状になるのと異なり、個々が独立した状態で分散されるため、熱可塑性樹脂と木粉微粒子との混練時に混練状態を均一にでき、これにより、成形されて得られるカバー部材６２についても十分に均一な材質とすることができ、経年等によりカバー部材６２に反り等が発生することがない。
【００２６】
（６）さらに、木粉が熱的、化学的に安定な酸化チタンを担持しているため、木粉にアルカリ処理等の化学処理を施すことなく、成形時における木粉の分解を抑制して成形性をより向上させることができる。
【００２７】
（７）また、金属補強材６３を断面中空状に形成することによって、必要な剛性を確保しつつ、屋外用軸状部品６１の軽量化を行うことができるので、輸送や組立作業をより一層容易にできる。
【００２８】
（８）さらに、カバー部材６２を２つの被覆材６２Ａ、６２Ｂで形成することによって、金属補強材６３に断面コ字形の被覆材６２Ａ、６２Ｂを金属補強材６３の対向する面にそれぞれ被せていけばよいので、屋外用軸状部品６１の組立作業をより容易に行うことができる。
【００２９】
（９）さらに、一方の被覆材６２Ａの長手方向に沿った端部に他方の被覆材６２Ｂの長手方向に沿った端部を係合することによって、一方の被覆材６２Ａを金属補強材６３に取り付けるビス１００を外側から見えなくできるので、屋外用軸状部品６１の外観を向上できる。
その上、一方の被覆材６２Ａに他方の被覆材６２Ｂを係合するだけで、金属補強材６３にカバー部材６２が取り付けられるので、この点からも屋外用軸状部品６１の組立作業を容易にできる。
【００３０】
（１０）また、凸部８３と凹部８４とが溝を噛み合わせて２箇所で係合されているので、カバー部材６２内への雨水等の浸入を容易に防止することができ、カバー部材６２の防水性能を向上できる。
その上、凹部８４に突起部８５を形成することによって、カバー部材６２内への雨水等の浸入をより一層確実に防止することができ、カバー部材６２の防水性能をより一層向上できる。
【００３１】
図３には、参考例の建物の窓１０１部分が示されている。
なお、前記実施形態と同一もしくは相当構成品には同じ符号を付し、説明を省略もしくは簡略する。
本参考例は、本発明の屋外用軸状部品を面格子７として用いたものである。詳しくは、図３に示すように、窓１０１の外側には、窓１０１の上下位置に平行に掛け渡されたフレーム１０２が配置されている。
そして、フレーム１０２には、屋外用軸状部品７１がその長手方向が垂直方向となる向きに配置され、かつ、窓１０１の表面に沿った水平方向に等間隔に複数取り付けられ、窓１０１からの人の侵入等を防ぐための防犯を目的とする面格子７が形成されている。
また、図４に示すように、屋外用軸状部品７１は、断面略四角形状であり、かつ、四角筒状のカバー部材７２と、このカバー部材７２の内部にカバー部材７２の長手方向に沿って設けられた金属補強材７３とで形成されている。
カバー部材７２は、外装を形成する外装部７２Ａと、カバー部材７２の剛性を高めるための補強部７２Ｂとから断面中空筒状に一体成形で形成されている。
このような屋外用軸状部品７１は、窓１０１の上下位置に平行に掛け渡されたフレーム１０２にビス１００等で取り付けられている。
【００３２】
本参考例によれば、前記実施形態の（１）〜（７）と同一の効果が得られる上、次のような効果が得られる。
カバー部材７２を断面中空筒状に一体成形することによって、その内部に金属補強材７３を押し込むだけで屋外用軸状部品７１を形成することができるので、特に比較的短い直線状の屋外用軸状部品７１であれば、その組立作業を容易に行うことができる。
その上、カバー部材７２が一体成形されていることによって、カバー部材７２の接合部分が無くなるため、その内部に雨水等が入ることがないので、例えば海が近い沿岸地域で屋外用軸状部品７１を用いても、内部に設けた金属補強材７３が海側から吹き付ける風等によって錆びることがなく、耐候性がより一層優れた屋外用軸状部品７１を形成することができる。
【００３６】
なお、本発明は前記実施の形態に限定されるものではなく、本発明の目的を達成できる他の構成等を含み、以下に示すような変形等も本発明に含まれる。
例えば、前記実施形態では、金属補強材６３は断面中空状に形成されていたが、これに限らず、断面充実状に形成されていてもよい。但し、同じ剛性を得るのには、断面中空状の金属補強材６３の方が軽量化できる点で好ましい。
【００３７】
さらに、前記実施形態では、金属補強材６３は、カバー部材６２の内部に、その大きさに沿って１つ配置されていたが、これに限らず、例えば、複数の金属補強材をカバー部材の内部に配置してもよい。このような構造は、特に意匠上の要望で断面積の大きな屋外用軸状部品を形成する場合に適する。
【００３８】
さらに、前記実施形態では、カバー部材６２は、押し出し成形によって形成されていたが、これに限らず、例えば、熱可塑性樹脂としてポリプロピレン樹脂を用いた場合等には、射出成形によって形成してもよい。すなわち、成形方法等は、用いる熱可塑性樹脂の種類を勘案して任意に決めればよい。
【００４０】
さらに、本発明の屋外用軸状部品６１、７１は、パーゴラ６や面格子７に限らず、例えば、玄関の引き戸等の格子として用いてもよい。
【００４１】
【発明の効果】
以上に述べたように、本発明の屋外用軸状部品によれば、軟質または半硬質の熱可塑性樹脂および微粒子の木粉を主材とする組成物から構成された棒状のカバー部材と、前記カバー部材の長手方向に沿って内部に設けられた金属補強材とで形成されているので、塗装等の仕上げ作業を行う必要がなくて、屋外用軸状部品の組立作業を容易にでき、かつ十分な強度を得ることができ、屋外用軸状部品の耐候性を向上できるという効果がある。
【図面の簡単な説明】
【図１】  本発明の一実施形態におけるユニット式建物を示す斜視図である。
【図２】  図１における屋外用軸状部品の断面図である。
【図３】  本発明の参考例における面格子が取り付けられた建物の窓部分を示す斜視図である。
【図４】  図３における一体成形されたカバー部材を用いた屋外用軸状部品を示す断面図である。
【符号の説明】
６  パーゴラ
７  面格子
６１、７１  屋外用軸状部品
６２、７２  カバー部材
６２Ａ、６２Ｂ  被覆材
６３、７３  金属補強材
８３  凸部
８４  凹部
【図１】
0003911327.tif 000002
【図２】
0003911327.tif 000003
【図３】
0003911327.tif 000004
【図４】
0003911327.tif 000005